(57)【要約】【課題】復旧後に最新の情報を提供するための仕組みである情報更新システムを提供することにある。【解決手段】液晶表示装置１８、地図データ記憶装置１７、印刷装置１９、課金装置２０、有線あるいは無線接続のインタフェース１６、１５を備え、前記地図データ記憶装置１７に蓄えられている地図データを所望の処理に導くことができる地図情報表示装置１０と、建物情報記憶装置１４、有線あるいは無線接続のインタフェース１６、１５を備える実際の建物１１に設置された通信装置により構成されるシステムにおいて、建物情報が更新された場合に、前記液晶表示装置１８上の情報がリアルタイムで更新される情報更新システム。【選択図】      図１
2004272123.tif 000002
【特許請求の範囲】
【請求項１】
液晶表示装置、地図データ記憶装置、印刷装置、課金装置、有線あるいは無線接続のインタフェースを備え、前記地図データ記憶装置に蓄えられている地図データを所望の処理に導くことができる地図情報表示装置と、建物情報記憶装置、有線あるいは無線接続のインタフェースを備える実際の建物に設置された通信装置により構成されるシステムにおいて、建物情報が更新された場合に、前記液晶表示装置上の情報がリアルタイムで更新されることを特徴とする情報更新システム。
【請求項２】
前記所望の処理が前記液晶表示装置に表示することによって行われることを特徴とする請求項１記載の情報更新システム。
【請求項３】
前記所望の処理が前記印刷装置で印刷することによって行われることを特徴とする請求項１記載の情報更新システム。
【請求項４】
前記所望の処理が前記有線あるいは無線接続のインタフェースを介してダウンロードすることによって行われることを特徴とする請求項１記載の情報更新システム。
【請求項５】
前記建物情報を抹消した場合に、前記液晶表示装置上からその建物に関する情報がリアルタイムで更新されることを特徴とする請求項１乃至４のいずれか１項記載の情報更新システム。
【請求項６】
前記地図情報表示装置のメンテナンスや故障に伴うサービス停止から復旧する際に、元の状態に戻ると同時に、停止期間中に更新された建物情報をリアルタイムで反映することを特徴とする請求項１乃至４のいずれか１項記載の情報更新システム。
【発明の詳細な説明】
【０００１】
【発明の属する技術分野】
本発明は、液晶表示装置を用いた地図データの表示／印刷／ダウンロード／行き先案内サービスおよびその地図データの更新を行う情報更新システムに関するものである。
【０００２】
【従来の技術】
大量の情報を利用者に送信せず、利用者の周辺に限った情報を随時リアルタイムで送信し続けるための仕組みについての技術は知られており（例えば、特許文献１参照）、ランドマーク情報の内容を読み取って、それを通常表示するか協調表示するかを識別するための技術も知られており（例えば、特許文献２参照）、また、地図情報が更新された場合、利用者にその旨を電子メールにて通知する技術も知られており（例えば、特許文献３参照）、さらに、ランドマーク更新システムおよびナビゲーション装置も知られている（例えば、特許文献４参照）。
特許文献１には大量の情報を利用者に送信せず、利用者の周辺に限った情報を随時リアルタイムで送信し続けるための仕組みについて開示した地図情報放送の送受信システムが記載されている。
特許文献２にはランドマーク情報の内容を読み取って、それを通常表示するか協調表示するかを識別するためのナビゲーション装置が記載されている。
特許文献３には地図情報が更新された場合、利用者にその旨を電子メールにて通知する地理情報システムを用いたネットワークおよび情報発信システムが記載されている。
特許文献４にはカーナビゲーションシステムでの径路誘導に関して、ランドマーク情報をリアルタイムに更新しながら径路誘導を行うためのランドマーク更新システムおよびナビゲーション装置が記載されている。
また、街角に設置された電子地図板の情報を更新するための仕組みについての研究、さらに、建物情報（ビルのテナント情報等）の更新や、建て替え／情報の非公開等による建物情報の削除についての研究もなされている。
【特許文献１】特開２００１−０３４８８９公報
【特許文献２】特開２００１−２０１３５５公報
【特許文献３】特開２００１−３０６４１７公報
【特許文献４】特開２００２−１８１５６３公報
【０００３】
【発明が解決しようとする課題】
特許文献１〜４の従来の技術は、定点に設置した地図板を対象としたり、また電子メールによる通知を行ったり、さらにランドマーク情報をリアルタイムに更新しながら径路誘導を行うことが条件となっている。また街角に設置された電子地図板の情報を更新するための仕組みや、新規建物情報の登録と表示についての研究もなされている。
しかしながら、建物情報（ビルのテナント情報等）の更新や、建て替え／情報の非公開等による建物情報の削除については考慮されておらず、地図情報表示装置が常に稼動していることが前提となっており、メンテナンスや故障等で地図表示装置が停止した場合には情報が更新されないという問題があった。
そこで本発明の目的は、上記の問題点を解決するために、復旧後に最新の情報を提供するための仕組みである情報更新システムを提供することにある。
【０００４】
【課題を解決するための手段】
前記の課題を解決するために、請求項１記載の発明では、液晶表示装置、地図データ記憶装置、印刷装置、課金装置、有線あるいは無線接続のインタフェースを備え、前記地図データ記憶装置に蓄えられている地図データを所望の処理に導くことができる地図情報表示装置と、建物情報記憶装置、有線あるいは無線接続のインタフェースを備える実際の建物に設置された通信装置により構成されるシステムにおいて、建物情報が更新された場合に、前記液晶表示装置上の情報がリアルタイムで更新される情報更新システムを最も主要な特徴とする。
請求項２記載の発明では、前記所望の処理が前記液晶表示装置に表示することによって行われることができる請求項１記載の情報更新システムを主要な特徴とする。
請求項３記載の発明では、前記所望の処理が前記印刷装置で印刷することによって行われることができる請求項１記載の情報更新システムを主要な特徴とする。
請求項４記載の発明では、前記所望の処理が前記有線／無線接続インタフェースを介してダウンロードすることによって行われることができる請求項１記載の情報更新システムを主要な特徴とする。
請求項５記載の発明では、前記建物情報を抹消した場合に、前記液晶表示装置上からその建物に関する情報がリアルタイムで更新される請求項１ないし４のいずれか１項記載の情報更新システムを主要な特徴とする。
請求項６記載の発明では、前記地図情報表示装置のメンテナンスや故障に伴うサービス停止から復旧するさいに、元の状態に戻ると同時に、停止期間中に更新された建物情報をリアルタイムで反映する請求項１ないし４のいずれか１項記載の情報更新システムを主要な特徴とする。
【０００５】
【発明の実施の形態】
以下、図面により本発明の実施の形態を詳細に説明する。図１は本発明による街角地図板を使用する更新システムの構成を示す概略図である。図１には街中にある周辺地図板を電子システム化した街角地図板（地図情報表示装置）１０と、街角地図板１０の周辺にある建物１１ないし１３から構成されるシステムを示している。
図２は建物情報記憶装置を示す概略図である。図２の建物１１は、街角地図板１０と通信するための有線あるいは無線の通信手段を有している。図において無線の通信手段として無線接続（ネットワーク）インタフェース１５を有している。また、建物情報を保持するための建物情報記憶装置１４が、建物内あるいはネットワークでアクセス可能な場所に置かれている。
図３は本発明に使用する街角地図板を説明する概略図である。図において街角地図板（地図情報表示装置）１０は、地図を表示する液晶表示装置１８と、表示する地図データを記憶しておく地図データ記憶装置１７、印刷装置１９、課金装置２０、外部システムとの通信を行うための有線接続（ネットワーク）インターフェース１６、携帯端末との通信を実現するための無線接続（ネットワーク）インタフェース１５を含んでいる。
建物１１（図１および図２参照）は、自身の情報を表示したい街角地図板１０に対して、建物情報記憶装置１４に保持している自身の建物ＩＤと簡易情報を登録する。街角地図板１０は、登録された建物ＩＤと簡易情報を地図データ記憶装置３０に保存する。
建物ＩＤと簡易情報の組み合わせは、一意に識別可能でなければならない。また、建物１１は自身の詳細情報も建物情報記憶装置１４に保持している。例えば、１つのビルに複数のテナントが入っている場合には、そのビルの建物ＩＤ、各テナント名称、各テナントの業務概要といった情報を入れておくことができる。
街角地図板１０は、登録された建物１１の情報しか表示することはできない。これにより、自身の情報を公開したくない建物は、登録しないことで非公開となり、セキュリティの面で安全である。
街角地図板１０は、登録された建物１１の建物ＩＤと簡易情報から地図データを構築する。ユーザが、表示されている地図データ上の建物ＩＤの場所を選択すると、街角地図板１０は地図データ記憶装置１７に登録されている簡易情報を表示する。
ユーザが、その簡易情報からさらに詳細情報を要求すると、街角地図板１０は有線ネットワークインタフェース１６または無線ネットワークインタフェース１５を介して建物１１と通信を行い、この建物１１の建物情報記憶装置１４に保持されている詳細情報を取得して、液晶表示装置１８に表示することができる。
【０００６】
図４は街角地図板と建物との間の通信を説明する概略図である。この機構により、各建物の詳細情報は建物自身だけが保持することになり、情報の重複がなくなる。よって、街角地図板１０の地図データ記憶装置１７の容量も小さく抑えることができる。また、詳細情報のみを変更した場合に、建物１１はその詳細情報を街角地図板１０にアップロードしなくてもよく、通信コストを下げることができる。
図５は建物情報を街角地図板に新規に登録する場合を説明する概略図である。建物情報を街角地図板１０に新規に登録する場合、建物１１は街角地図板１０に対して、建物情報更新通知を行う。
これを受けて街角地図板１０は、通知のあった建物１１から情報を取得し、街角地図板１０内部にデータを保存して、表示データを更新する。すでに登録済みか、新規登録かは、情報更新通知のあった建物ＩＤで街角地図板１０の内部情報を検索することでわかる。検索の結果、データがなければ新規登録となる。
図６は建物の情報が変わった場合の地図板に対する建物情報更新通知について説明する概略図である。建物の情報が変わった場合、例えばビル内のテナントの変更や、家の売却等があった場合、建物１１は街角地図板１０に対して、建物情報更新通知を行う。これを受けて街角地図板１０は、通知のあった建物１１から情報を取得し、街角地図板１０内部に、すなわち地図データ記憶装置１７に保存されているデータを更新して、表示データを更新する。
図７は建て替えや取り壊し等で建物がなくなった場合の建物情報削除通知について説明する概略図である。建て替えや取り壊し等で建物がなくなった場合、あるいは情報を非公開にするために登録を抹消する場合には、建物１１は街角地図板１０に対して、建物情報削除通知を行う。これを受けて街角地図板１０は、通知のあった建物１１に関する情報を街角地図板１０の内部、すなわち地図データ記憶装置１７から抹消し、表示データを更新する。
【０００７】
図８は街角地図板自体の停止中における建物からの更新通知や削除通知について説明する概略図である。街角地図板１０自体も、メンテナンスや故障のために停止することがある。しかし、この間も建物１１からは更新通知や削除通知が行われることがある（図８中のメッセージ１〜３）。
街角地図板１０が停止中に建物１１から更新通知があった場合、街角地図板１０は通知を受け取れないため、その後の建物情報取得は行われない。よって、建物１１側では、更新通知を行った後から一定期間以内に街角地図板１０からの建物情報取得が行われない場合は、再度更新通知を行う（図８のメッセージ３および１０）。
街角地図板１０は停止理由が解除されて復旧すると、自身に登録されている全建物から建物情報を取得し直す。これにより、街角地図板１０が停止中に送られてきた更新通知を受け取ることができなくても、復旧時にすべて更新されることとなる（図８のメッセージ４〜９）。
ただし、街角地図板１０が停止中に新規に登録を行おうとした建物については、街角地図板１０に登録されていないので反映されない。しかし、前述した再通知の仕組みにより、一定時間後にはその建物から更新通知が届くため、そのときに登録すれば反映することができる（図８のメッセージ１０〜１２）。
街角地図板１０が停止中に建物１１から削除通知があった場合、街角地図板１０は通知を受け取れないが、この場合は削除通知を一度発行するだけでよい。なぜなら、復旧後に街角地図板１０が削除通知を行った建物に情報取得を行ったときに情報が提供されないので、その時点で街角地図板１０が内部からデータを抹消すればよい（図８のメッセージ２、８、９）。
本発明によれば、更新があったときのみ建物から通知が行われることができるので、地図データに限らず、本システム内にあるあらゆるデータの表示／印刷／ダウンロードサービスと、そのデータの更新が可能である。
【０００８】
【発明の効果】
以上説明したように、請求項１、２、３、４、５によれば、更新があったときのみ建物から通知が行われるため、街角地図板と建物間の通信量を抑えることができ、また、更新を即座に街角地図板に反映することができる。
請求項６によれば、街角地図板の停止／復旧に際しても地図情報を最新の状態にて表示することが可能となる。
【図面の簡単な説明】
【図１】本発明による街角地図板を使用する更新システムの構成を示す概略図である。
【図２】建物情報記憶装置を示す概略図である。
【図３】本発明に使用する街角地図板を説明する概略図である。
【図４】街角地図板と建物との間の通信を説明する概略図である。
【図５】建物情報を街角地図板に新規に登録する場合を説明する概略図である。
【図６】建物の情報が変わった場合の地図板に対する建物情報更新通知について説明する概略図である。
【図７】建て替えや取り壊し等で建物がなくなった場合の建物情報削除通知について説明する概略図である。
【図８】街角地図板自体の停止中における建物からの更新通知や削除通知について説明する概略図である。
【符号の説明】
１０  街角地図板（地図情報表示装置）
１１  建物
１４  建物情報記憶装置
１５  無線接続（ネットワーク）インターフェース
１６  有線接続（ネットワーク）インターフェース
１７  地図データ記憶装置
１８  液晶表示装置
１９  印刷装置
２０  課金装置
【図１】
2004272123.tif 000003
【図２】
2004272123.tif 000004
【図３】
2004272123.tif 000005
【図４】
2004272123.tif 000006
【図５】
2004272123.tif 000007
【図６】
2004272123.tif 000008
【図７】
2004272123.tif 000009
【図８】
2004272123.tif 000010